(57)【要約】【課題】長期間不在にしている間も動力等を使わず自動的に水遣りしてくれるプランターが必要。環境に配慮して雨水を主に供給できることが必要。最少の供給で済むように底面潅水方式が求められるが、その場合、根腐りしない簡便な仕組みが必要。また屋上緑化用の大型プランターも必要。【解決手段】  直接降り注ぐ雨と、雨樋から分岐したホースなどからの雨水が、雨水集水ろ過層の上面に供給される。その雨水は、ろ過後、雨水貯留層にためられる。貯留層の上面には浮きシートがあり、蒸発が抑えられ、吸い上げ層により底面潅水されるので、植栽が必要とする最小限の水の貯留ですむ。常時水面が雨水吸い上げ層の最上面より低く保たれ、水面より上の部分の雨水吸い上げ層の側面は空気層に常に接しているので、根周りに常に酸素が供給でき、根腐れを起こすことが無い。大型プランターも可能にした。【選択図】図１
2009189355.tif 000002
【特許請求の範囲】
【請求項１】
雨水集水ろ過層とその下の空気層とオーバーフローとその下の浮きシート、それらを被せた雨水貯留層からなる雨水集水貯留層と、雨水吸い上げ層とその上の土等の入る栽培層からなる自動潅水栽培層が一体となった自動潅水プランター
【請求項２】
請求項１の雨水集水貯留層と自動潅水栽培層を分離して配置し、雨水吸い上げ層上部に通気管を設け、両部分の間を連通管で連結する自動潅水プランター
【発明の詳細な説明】
【技術分野】
【０００１】自動潅水
雨水利用
【背景技術】
【０００２】水道や電動ポンプや水位維持弁を用いた自動潅水装置はある。
底面潅水の仕組みはあるが、根腐れさせないために複雑な構造となっていた。
【発明の開示】
【発明が解決しようとする課題】
【０００３】１．  長期間不在にしている間も自動的に水遣りしてくれるプランターが必要である。
２．  水道を使うのはもったいない上、塩素を含むなど植物には不適な面もあり、雨水を主に供給できるようにする必要がある。
３．  上部から散水すると、植物が必要としている以上の水が必要になる。それは、濡れた植物や濡れた土表面からの蒸発、プランター縁からの毀れ分、プランター下穴からの漏れ等による。そこで、プランター下穴の存在しない、底面潅水方式にして、植物が必要とする分、つまり最少量だけの供給で済む仕組みが必要である。
４．  底面潅水の場合、根周りが常時水に浸っていることによって根腐れを起こす問題があり、適切に酸素供給できるような簡便で安定性のある仕組みが必要である。
５．  プランターのサイズはバルコニーに設置する小さなものから、屋上緑化の普及に伴い、屋上を埋め尽くすほど大きなものまでさまざまに求められており、それに対応できることが必要である。
【課題を解決するための手段】
【０００４】１．  本発明では、雨水貯留層の深さを深くすることによって、長期の水遣りを不要とすることができる。栽培層上面における最も蒸発散量の多い時期で、栽培層上面面積分の水深にして１日当り４ｍｍ程度であり、仮に水深８ｃｍ分の水が雨水吸い上げ板と雨水貯留層に蓄えられていれば２０日分の潅水量を確保したことになる。
２．  本発明では、雨水集水ろ過層の上面に直接降り注ぐ雨と、雨樋から分岐したホースなどから雨水集水ろ過層の上面に供給される雨水が水源となるので、一定期間以上降雨の無い、万が一の場合にのみ、雨水集水ろ過層の上面に如雨露などで補完する、雨水利用主体の方式である。
３．  本発明は、雨水吸い上げ層から上方の土に水を吸い上げ供給する底面潅水方式である。発泡セラミックによる雨水吸い上げ層は高さ１５０ｍｍの吸い上げ力があることが確かめられている。プランター底面には穴が無く、貯留層の上面には浮きシートがあり、水面からの蒸発を抑えているので、貯留された水が全て植栽のために待機され、植栽が必要とする最小限の水が供給される。
４．  本発明では、常時水面が雨水吸い上げ層の最上面より低く保たれ、かつ  水面より上の部分の雨水吸い上げ層の側面は空気層に常に接している。雨水吸い上げ層は、そこから常に酸素を自然にその本体内に取り込む性質を有しているので、根に接する雨水吸い上げ層は常に酸素を根回りに供給している。  したがって根腐れを起こすことは無い。
５．  本発明に使用する雨水集水ろ過層と雨水吸い上げ層は、屋上を埋め尽くすほどの大きくすることが可能なので、小さなプランターから屋上を埋め尽くすほど大きなプランターまで可能である。
【発明の効果】
【０００５】  人工的なエネルギーを用いないで、水道も使わず、最小限の雨水を利用し、動力を使わず自動的に栽培ができることは、環境に対し負荷をかけない、環境対策の仕組みのひとつになる。小さなプランターであれば、バルコニー等に容易に設置でき、環境対策の実例を身近に実感し、啓蒙してゆくために役立つ。また単純な構造で、安価に製造できるので、建物緑化を容易に実現し、ガーデニングを推し進めることになる。また屋上を埋め尽くすような大きなプランターであれば、自動潅水畑として活用されることも可能である。
【実施例１】
【０００６】＜イ＞全体の構成
雨水集水ろ過層３とその下の空気層４とオーバーフロー５とその下の浮きシート６、とその下の雨水貯留層７からなる雨水集水貯留層１と、雨水吸い上げ層８の上に栽培層９が位置する底面潅水栽培層２が一体となった雨水自動潅水プランター。雨水集水貯留層１と底面潅水栽培層２を分離して配置する場合には、その両者を接続する連通管１０と、雨水吸い上げ層７の上部に通気管１１を接続する。
＜ロ＞雨水集水貯留層１
雨水集水貯留層１は、雨水集水ろ過層３とその下の空気層４とオーバーフロー５とその下の浮きシート６、その下の雨水貯留層７からなる。またその外周部分は水が漏れないように防水性能を有し、水の重さに耐え、水や土の接触によって朽ちてしまいにくい性質のものを使用する。
＜ハ＞底面潅水栽培層２
底面潅水栽培層２は、雨水吸い上げ層８の上に栽培層９を配置する構成である。またその外周部分は、水が漏れないように防水性能を有し、土の重さに耐え、水や土の接触によって朽ちてしまいにくい性質のものを使用する。  雨水貯留層７の下端は雨水吸い上げ層７の下端と同じかそれより高く位置させる。雨水貯留層７の上端、つまり常時水面の最高水位は、雨水吸い上げ層８の上端より若干低くしその側面が空気層４に接している必要がある。底面潅水栽培層２と雨水集水貯留層１を分離して配置する場合は、雨水吸い上げ層８の上記高さに通気管１１が必要になる。
＜ニ＞雨水集水ろ過層３
腐らず、目詰まりせず、砂や埃を通さない発泡セラミック等を用いる。時間当たり１２０ｍｍの豪雨の際にも１００％雨を吸い込む能力をあわせもつ。
＜ホ＞浮きシート５
このシートは、一旦、雨水貯留層７に溜まった雨水が温度上昇もせず、蒸発して減ることも無く、プランクトン等の空中飛来を抑え、水が腐らないように水面に浮いている。  透水性、透湿性が無く、水より軽く、断熱性能があり、水面の揺れに追随し、フレキシブルに変形し、常に水面上部を覆った状態を維持できる発泡樹脂等をもちいる。
＜ヘ＞雨水吸い上げ層８
腐らず、目詰まりせず、毛細管現象で雨水を１５ｃｍ程度吸い上げることが可能な、発泡セラミック等の素材を用いる。側面が空気層４に触れていれば、植栽層９に酸素を供給できる性質も併せ持つ。
【図面の簡単な説明】
【０００７】
【図１】全体構成の説明図
【図２】雨水集水貯留層１と自動潅水栽培層２を分離した場合の説明図
【符号の説明】
【０００８】１    雨水集水貯留層
２    自動潅水栽培層
３    雨水集水ろ過層
４    空気層
５    オーバーフロー
６    浮きシート
７    雨水貯留層
８    雨水吸い上げ層
９    栽培層
１０  連通管
１１  通気管
【図１】
2009189355.tif 000003
【図２】
2009189355.tif 000004